(57)【特許請求の範囲】
【請求項１】
金属板からなる筐体と該筐体内に組み込まれる表示部分と、該表示部分を前記筐体内に係止するための固定用金具と、該固定用金具を筐体内部に係止するためのテ−パ−部を持つワッシャ−を使用した筐体の防水構造であって、前記固定用金具の一端に折り曲げたテ−パ−部と前記ワッシャ−部のテ−パ−部分を圧接摺動することにより、固定用金具を筐体内部に圧接係止することを特徴とする筐体の防水構造。
【請求項２】
前記筐体内側部分と表示部分の間の防水手段は、ゴムパッキンからなることを特徴とする請求項１記載の筐体の防水構造。
【発明の詳細な説明】
【０００１】
【発明の属する技術分野】
本発明は無線式ハンディタ−ミナルのデ−タ中継器に関し、詳しくは屋外に設置された無線式ハンディタ−ミナルの中継器に、雨水や湿気が上記中継器内へ侵入するのを防止し、上記中継器に内蔵されている回路基板等の構成部品を錆びから保護する筐体の防水構造に関する。
【０００２】
【従来技術】
従来無線式ハンディタ−ミナルを倉庫や作業現場で使用してデ−タを蓄積し、この蓄積したデ−タを、上記倉庫や作業現場とは別の建物内に設けているホストコンピュ−タで管理している場合に、ホストコンピュ−タに接続している中継器を、上記無線式ハンディタ−ミナルからの無線の受信状態が良い屋外に設置している。従来の無線中継器の構造を図４に基づいて説明すると、無線中継器本体５０の内側に設けられている表示パネル固定用のネジ孔用ボス５１に、表示パネル５２を取り付けた表示パネル固定用金具５３にネジ５４を締め付け、この締め付け力によってゴムパッキン５５を圧縮し、雨水、湿気等が無線中継器本体５０内に侵入することを防ぐ、防水構造のデ−タ中継器筐体を製作していた。
【０００３】
【発明が解決しようとする課題】
しかし上記した従来の製作方法では、デ−タ中継器本体５０内に設けた固定用ボス５１に、表示パネル固定用金具５３をネジ止めする際に工具（例えばドライバ−５６）でネジ止め作業を行なっている。このネジ止め作業を行なう際に、上記表示パネル固定用金具５３をねじで止めるための固定用ボス５１が、横方向に設けられているので、デ−タ中継器本体５０を構成する板金５８と組立時に使用する工具であるドライバ−５６の柄５７との間の余裕５９部分が無いために、ねじ５４の仮止め作業が行ないにくく、作業性が悪い上に時間がかかるという問題と、ドライバ−５６の柄５７を握って連続してドライバ−５６を回転させることができないので、ねじ５４の締結力が弱くなり、表示パネル５２とゴムパッキン５５の間から雨水がデ−タ中継器本体５０内に入り、デ−タ中継器本体５０を構成している回路基板や、他の部品を破損させたり錆びを発生させるという問題があった。
【０００４】
【課題を解決するための手段】
本発明は従来の不具合点に鑑みなされたもので、金属板からなる筐体と、該筐体内に組み込まれる表示部分と、該表示部分を前記筐体内に係止するための固定用金具と、該固定用金具を筐体内部に係止するためのテ−パ−部を持つワッシャ−を使用した筐体の防水構造であって、前記固定用金具の一端に折り曲げたテ−パ−部と前記ワッシャ−部のテ−パ−部分を圧接摺動することにより、固定用金具を筐体内部に圧接係止する筐体の防水構造を提案するものである。
【０００５】
【発明の実施の形態】
無線式ハンディタ−ミナルのデ−タ中継器において、上記中継器の動作状態表示部分と、デ−タ中継器筐体の間に防水性を高める為のゴムパッキンと、前記動作状態表示部分を筐体に係止するための折り曲げ部分を持った表示部分固定用金具と、該表示部分固定用金具の折り曲げ部分を圧接する圧接部分と、前記動作状態表示部分を筐体に圧接するためのワッシャ−と、該ワッシャ−のテ−パ−部分を、表示部分固定用金具の折り曲げ部分に圧接摺動することにより、ゴムパッキンを圧接する筐体の防水構造である。
【０００６】
【作用】
即ち本発明においては、デ−タ中継器本体に表示パネルを取り付ける際の作業が行ない易いように、表示部分固定用金具の折り曲げ部分または段折部を設けた端部に、ネジ止め取り付け台を設け、表示パネル固定用金具の一方を折り曲げ、この折り曲げ部のテ−パ−部分にワッシャのテ−パ−部分を合致させてネジ止めすることにより、表示パネル固定用金具を係止している。
【０００７】
【実施例】
以下、本発明の詳細を添付図面を参照して説明する。図１は本発明の防水構造を採用する無線式ハンディタ−ミナルのデ−タ中継器本体１であり、このデ−タ中継器本体１は板金で構成された上蓋部２と底板３から構成されている。参照符号４は表示部分で、図示しないハンディタ−ミナル本体からの送信されてくるデ−タの受信状態を示すＬＥＤ部分５や、デ−タ中継器本体１の種々の機能が作動している状態をＬＥＤ６を使用して表示する。アンテナ７は、上記した図示しない無線式ハンディタ−ミナルのハンディタ−ミナル本体から送信されてくるデ−タを受信し、デ−タ中継器本体１の内部に格納されている回路基板（図示せず）に接続されている。
【０００８】
図２は図１の断面図であり、本発明の防水構造を説明する図である。参照符号１はデ−タ中継器本体であり、２は上蓋部で板金で構成され底板３と組み合わせてデ−タ中継器本体の筐体を構成している。参照符号４は表示部分で上記したようにデ−タ中継器本体１の作動状態を表示するＬＥＤ５、６が配置されている。参照符号８は表示部分固定用金具で、上記した表示部分４を上蓋部２と底板３の間の開口部９に配置させるための部材であり、表示部分４と表示部分固定用金具８は接着剤を使用して接着されている。この表示部分固定用金具８の一方の端面は、ムの字に折り曲げた折り曲げ部分１０を形成しており、後述するワッシャ−１１のテ−パ−部分と圧接するようになっている。
【０００９】
参照符号１２は、表示部分固定用金具保持部品で、前述した表示部分固定用金具８を取り付けるための取り付け台で、デ−タ中継器本体１の上蓋部２の内側に設置されている。参照符号１１は上記したワッシャ−で、台形状に形成してありテ−パ−部分１３を上記取り付け台１２の折り曲げ部分１０に圧接するような角度を持って形成されている。参照符号１４は取り付け台であり、ワッシャ−１１をネジ止めする際のネジ溝が施されている。参照符号１５はゴムパッキンで、表示部分４と上蓋部２、底板３の間に介在させ雨水、湿気等がデ−タ中継器本体１の内部に入るのを防止する。参照符号１６は表示部分固定用金具８の係止部で、内部はネジ１７を締め付けられるようにネジ溝（図示せず）が設けられている。
【００１０】
図３は第２の実施例を示したものであり、表示部分４を固定する表示部分固定用金具１８の一方の端部に段折部１９を設けたものであり、段折部１９を上蓋部２に直接突き合わせることにより、上記固定用金具保持部品１２の役目をする。また、折り曲げ部の延長上に平坦なガイド部２０を設けた。ワッシャ−１１のテ−パ−部１３を上記平坦なガイド部２０の先端部分２１に突きあてることによりワッシャ１１のテ−パ−部分１３の作用によって、ゴムパッキン１５を圧縮することができる。また、表示部分固定用金具１８の他方の端部は、突起部２５に係合する。この突起部２５の設置位置は、表示部分固定用金具１８の段折部１９が上蓋部２に当接したことにより、係止できる位置に設けられており、表示部分固定用金具１８の仮の位置決めができるようになっている。
【００１１】
次に実際の組立手順を説明する。表示部分４と一体となっている表示部分固定用金具８を、デ−タ中継器本体１の上蓋部２と、底板３の間に作業者の手によって組み込み、表示部分固定用金具８の折り曲げ部分１０を、固定用金具保持部品１２に接触させた状態でワッシャ１１を取り付け台１４上に置く。この状態で、作業者がワッシャ１１を介して取り付け台１４にネジ２２を締結して表示部分固定用金具８の仮止めを行なう。矢印２３方向にワッシャ１１を押し付けることにより、ワッシャ１１のテ−パ−部分１３が表示部分固定用金具８の折り曲げ部１０に圧接することにより、横方向の矢印２４方向に押されたゴムパッキン１５を上蓋部２と表示部分４に密着させることができる。この仮止めが終わった段階で他方の端部のネジ１７を締め付けることにより、表示部４をデ−タ中継器本体１に取り付ける。
【００１２】
次に実施例２の組立手順を説明する。表示部分４と一体となっている表示部分固定用金具１８の段折部１９を、上蓋部２の内側に突き当て、表示部分固定用金具１８の他方の端部を突起部２５に載せた状態で、ワッシャ−１１にネジ２２を通し、取り付け台１４に上記ワッシャ−１１を締結する。このとき、平坦なガイド部２０の先端部分２１が、ワッシャ−１１のテ−パ−部１３に接触し、横方向の矢印２４の方向に力が働きゴムパッキン１５を圧縮し、表示部分４を取り付ける。
【００１３】
【発明の効果】
本発明は以上のような構成であるので、中継器本体表示部分を取り付ける際の作業能率が向上し組立作業時間も短縮できる。また、表示部分固定用金具に折り曲げ部分や段折部を設け、この部分にワッシャのテ−パ−部分を圧接することによって、ゴムパッキン１５を圧接することができるので、仮止めを確実にすることができ、ネジを使用して表示部分固定用金具を締め付けることにより、更に強くゴムパッキン１５を圧接することができるので、確実な防水構造にすることができる。
【図面の簡単な説明】
【図１】筐体の外観斜視図
【図２】第１実施例の断面図
【図３】第２実施例の断面図
【図４】従来例
【符号の説明】
１      デ−タ中継器本体
２      上蓋部
３      底板
４      表示部分
５      ＬＥＤ部分
６      ＬＥＤの表示部分
７      アンテナ
８      表示部分固定用金具
９      開口部
１０    折り曲げ部
１１    ワッシャ
１２    表示部分固定用金具保持部分
１３    テ−パ−部分
１４    取り付け台
１５    ゴムパッキン
１６    係止部
１７    ネジ
１８    表示部分固定用金具
１９    段折部
２０    平坦なガイド部
２１    先端部分
２２    ネジ
２３    矢印
２４    横方向の矢印
２５    突起部
【図１】
0003543477.tif 000002
【図２】
0003543477.tif 000003
【図３】
0003543477.tif 000004
【図４】
0003543477.tif 000005